(57)【要約】【課題】  本発明は、作業工程を簡易し、安全且つ低コストで擁壁を形成でき、地すべり又は落石から法面を保護する擁壁施工方法を提供する。【解決手段】  地山から突出するロックボルト６ａを複数取り付け、アンカー部材５にて底盤に固定された基礎ブロック１に、ＰＣ鋼棒等の固定用定着部材３を取り付け、その固定用定着部材３を単体パネル２の貫通孔に貫通させて緊張締結して固定し、単体パネル２を並設した法面盛土用永久型枠と法面との間にエアーモルタル等の軽量盛土材を打設して、法面盛土用永久型枠、軽量盛土材及び法面を一体化する擁壁施工方法である。【選択図】        図１
2005256602.tif 000002
【特許請求の範囲】
【請求項１】
法面斜面に当該法面から突出するよう複数のロックボルトを取り付け、
法面の底盤に打設された基礎ブロックに固定用定着材の一端が固定され、
予め積み上げ方向に設けられた貫通孔を備えるパネルを当該貫通孔に前記固定用定着材を貫通させながら積み上げ、
前記固定用定着材を前記パネルの端辺で緊張締結させて前記パネルを前記基礎ブロックに固定し、
これら一連の動作で前記法面に対してパネルを並設し、
並設された前記複数のパネルから成る法面盛土用永久型枠と前記法面との間にエアーモルタルの軽量盛土材を打設して、前記法面盛土用永久型枠、前記打設された軽量盛土材及び前記法面を一体化することを特徴とする擁壁施工方法。
【請求項２】
法面斜面に当該法面から突出するよう複数のロックボルトを取り付け、
法面の底盤に打設された基礎ブロックに固定用定着材の一端が固定され、
予め積み上げ方向に設けられた貫通孔を備えるパネルを当該貫通孔に前記固定用定着材を貫通させながら積み上げ、
前記固定用定着材を前記パネルの端辺で緊張締結させて前記パネルを前記基礎ブロックに固定し、
これら一連の動作で前記法面に対してパネルを並設し、
並設された前記複数のパネルから成る法面盛土用永久型枠と前記法面との間にエアーモルタルの軽量盛土材を打設し、
更に並設された前記パネル上に、予め積み上げ方向に設けられた貫通孔を備える別のパネルを当該貫通孔に前記固定用定着材を貫通させながら積み上げ、
前記固定用定着材を前記別のパネルの端辺で緊張締結させて前記別のパネルを下段の前記パネルに固定し、
これら一連の動作で前記法面に対して前記パネル上に別のパネルを並設し、
並設された前記複数の別のパネルから成る法面盛土用永久型枠と前記法面との間にエアーモルタルの軽量盛土材を打設して、前記法面盛土用永久型枠、前記打設された軽量盛土材及び前記法面を一体化することを特徴とする擁壁施工方法。
【発明の詳細な説明】
【技術分野】
【０００１】
本発明は、落石・地すべり防止用の擁壁施工方法に係り、特に、簡易、安全且つ低コストにて擁壁を構築できる擁壁施工方法に関する。
【背景技術】
【０００２】
従来、すべり法面に落石物が点在する場合、大きい落石の撤去、すべり面の掘削を行う必要があるが、場合によっては、これら撤去又は掘削等が不可能な場合もあり、これへの対応策としては、覆式ロックネット又は法枠と永久アンカー等により地山斜面を防護し、さらにロックシェッド等の施工が行われている。
【０００３】
尚、擁壁の施工方法において、プレキャストコンクリートを用いて行うものに、平成５年（１９９３年）６月２９日公開の特開平５−１６３７４１号の「仮土留材およびコンクリート壁築造工法」（出願人：伯備建設株式会社、発明者：藤野耕司）、または、平成９年（１９９７年）１０月２８日公開の特開平９−２７９６１０号の「擁壁の施工方法及び装置」（出願人／発明者：一志毅）がある。
【０００４】
【特許文献１】特開平５−１６３７４１号公報
【特許文献２】特開平９−２７９６１０号公報
【発明の開示】
【発明が解決しようとする課題】
【０００５】
しかしながら、上記従来の地山安定化工法では、道路部の通行止め、片側大型防護柵による片側通行、またアンカー用足場、ロックシェッド設置時の切り取りによる地すべり・落石の危険作業等を必要とし、簡易に地山安定化を行うことができないという問題点があった。
【０００６】
また、上記従来の地山安定化工法では、工事が大がかりであるため、施工工期が長期化し、コスト面でもコスト高となる問題点があり、また、従来の地山安定化工法で形成された擁壁の景観は美的とは言えないという問題点があった。
【０００７】
本発明は上記実情に鑑みて為されたもので、作業工程を簡易にし、安全且つ低コストに地山安定化を実現できる擁壁施工方法を提供することを目的とする。
【課題を解決するための手段】
【０００８】
上記従来例の問題点を解決するための本発明は、擁壁施工方法において、法面斜面に当該法面から突出するよう複数のロックボルトを取り付け、法面の底盤に打設された基礎ブロックに固定用定着材の一端が固定され、予め積み上げ方向に設けられた貫通孔を備えるパネルを当該貫通孔に前記固定用定着材を貫通させながら積み上げ、前記固定用定着材を前記パネルの端辺で緊張締結させて前記パネルを前記基礎ブロックに固定し、これら一連の動作で前記法面に対してパネルを並設し、並設された前記複数のパネルから成る法面盛土用永久型枠と前記法面との間にエアーモルタルの軽量盛土材を打設して、前記法面盛土用永久型枠、前記打設された軽量盛土材及び前記法面を一体化することを特徴とする。
【０００９】
本発明は、擁壁施工方法において、法面斜面に当該法面から突出するよう複数のロックボルトを取り付け、法面の底盤に打設された基礎ブロックに固定用定着材の一端が固定され、予め積み上げ方向に設けられた貫通孔を備えるパネルを当該貫通孔に前記固定用定着材を貫通させながら積み上げ、前記固定用定着材を前記パネルの端辺で緊張締結させて前記パネルを前記基礎ブロックに固定し、これら一連の動作で前記法面に対してパネルを並設し、並設された前記複数のパネルから成る法面盛土用永久型枠と前記法面との間にエアーモルタルの軽量盛土材を打設し、更に並設された前記パネル上に、予め積み上げ方向に設けられた貫通孔を備える別のパネルを当該貫通孔に前記固定用定着材を貫通させながら積み上げ、前記固定用定着材を前記別のパネルの端辺で緊張締結させて前記別のパネルを下段の前記パネルに固定し、これら一連の動作で前記法面に対して前記パネル上に別のパネルを並設し、並設された前記複数の別のパネルから成る法面盛土用永久型枠と前記法面との間にエアーモルタルの軽量盛土材を打設して、前記法面盛土用永久型枠、前記打設された軽量盛土材及び前記法面を一体化することを特徴とする。
【発明の効果】
【００１０】
本発明によれば、法面斜面に当該法面から突出するよう複数のロックボルトを取り付け、法面の底盤に打設された基礎ブロックに固定用定着材の一端が固定され、予め積み上げ方向に設けられた貫通孔を備えるパネルを当該貫通孔に前記固定用定着材を貫通させながら積み上げ、前記固定用定着材を前記パネルの端辺で緊張締結させて前記パネルを前記基礎ブロックに固定し、これら一連の動作で前記法面に対してパネルを並設し、並設された前記複数のパネルから成る法面盛土用永久型枠と前記法面との間にエアーモルタルの軽量盛土材を打設して、前記法面盛土用永久型枠、前記打設された軽量盛土材及び前記法面を一体化する擁壁施工方法としているので、簡易、安全且つ低コストで十分な強度を持った擁壁を形成でき、地滑り又は落石から法面を永久的に保護できる効果がある。
【００１１】
本発明によれば、法面斜面に当該法面から突出するよう複数のロックボルトを取り付け、法面の底盤に打設された基礎ブロックに固定用定着材の一端が固定され、予め積み上げ方向に設けられた貫通孔を備えるパネルを当該貫通孔に前記固定用定着材を貫通させながら積み上げ、前記固定用定着材を前記パネルの端辺で緊張締結させて前記パネルを前記基礎ブロックに固定し、これら一連の動作で前記法面に対してパネルを並設し、並設された前記複数のパネルから成る法面盛土用永久型枠と前記法面との間にエアーモルタルの軽量盛土材を打設し、更に並設された前記パネル上に、予め積み上げ方向に設けられた貫通孔を備える別のパネルを当該貫通孔に前記固定用定着材を貫通させながら積み上げ、前記固定用定着材を前記別のパネルの端辺で緊張締結させて前記別のパネルを下段の前記パネルに固定し、これら一連の動作で前記法面に対して前記パネル上に別のパネルを並設し、並設された前記複数の別のパネルから成る法面盛土用永久型枠と前記法面との間にエアーモルタルの軽量盛土材を打設して、前記法面盛土用永久型枠、前記打設された軽量盛土材及び前記法面を一体化する擁壁施工方法としているので、簡易、安全且つ低コストで十分な強度を持った擁壁を形成でき、地滑り又は落石から法面を永久的に保護できる効果がある。
【発明を実施するための最良の形態】
【００１２】
本発明の実施の形態について図面を参照しながら説明する。
本発明の実施の形態に係る擁壁施工方法は、法面斜面に当該法面から突出するよう複数のロックボルトを取り付け、地すべり又は落石法面の法尻に打設された基礎ブロックに鋼棒等の固定用定着部材の一端が固定され、予め積み上げ方向に設けられた貫通孔を備えるコンクリート板若しくは鋼製板の単体パネルを貫通孔に固定用定着部材を貫通させながら積み上げ、固定用定着部材を緊張して単体パネルを基礎ブロックに固定するものであり、同様に単体パネルを法面に対して横方向に配置し、形成された単体パネルから成る法面盛土用永久型枠と法面との間にエアーモルタルの軽量盛土材を打設して、法面盛土用永久型枠、軽量盛土材及び法面を一体化して、簡易、安全且つ低コストで十分な強度を持った擁壁を形成でき、地すべり又は落石法面を永久的に保護するものである。
【００１３】
また、本発明の実施の形態に係る擁壁施工方法は、上記方法で形成された擁壁の単体パネル上に更に単体パネルを貫通孔に固定用定着部材を貫通させながら積み上げ、固定用定着部材を緊張して固定された単体パネルに固定するものであり、同様に単体パネルを法面に対して横方向に配置し、形成された単体パネルから成る法面盛土用永久型枠と法面との間にエアーモルタルの軽量盛土材を打設して、法面盛土用永久型枠、軽量盛土材及び法面を一体化する。この施工作業を繰り返し、法面に対して縦横方向に連続して単体パネルを積み上げ固定し、法面盛土用永久型枠、軽量盛土材及び法面を一体化した擁壁を所定の高さまで構築し、地滑り又は落石法面を永久的に保護するものである。
【００１４】
尚、法面と単体パネルとの間に、エアーモルタル又はコンクリートを打設して一体化を図るが、予め法面の落石防止のためにロックボルトを取り付けたり、滑りと落石防止のために永久アンカーを定着して擁壁を固定したり、更にロックボルトと永久アンカーの両方を用いて擁壁を強固なものとすることも可能である。
【００１５】
次に、本発明の実施の形態に係る擁壁施工方法で形成された擁壁（法面盛土用永久型枠）の概略について図１，図２を用いて説明する。図１は、本発明の実施の形態に係る落石法面に対して施工された擁壁の概略断面を示す断面説明図であり、図２は、本発明の実施の形態に係る地滑り・落石法面に対して施工された擁壁の概略断面を示す断面説明図である。
尚、図１と図２の相違する部分は、図１には、法面に落石防止のための複数のロックボルト６ａが取り付けられているが、図２には、ロックボルト６ａの替わりに永久アンカー６ｂが定着され、コンクリート外壁２を法面方向に緊張して固定している点である。
【００１６】
図１に示すように、落石防止のために法面（岩盤Ａ）に対して予め複数のロックボルト６ａが取り付けられ、その法面の底部に基礎ブロック１がアンカー部材５によって固定されている。ここで、アンカー部材５は、水平地面（底盤）に対して鉛直方向に挿着固定される永久アンカーであり、基礎ブロック１を介して緊張されて水平地面の岩盤Ａに対して一体的に固定されている。
【００１７】
そして、基礎ブロック１には、固定用定着部材３の端部が埋め込まれている。具体的には、基礎ブロック１に固定用定着部材（例えば、ＰＣ鋼棒）の一部が埋め込まれ、その他端が突出した構成とし、当該突出した端部にＰＣ鋼棒等を取り付けて定着用部材３を形成している。この定着用部材３は、積み上げられてコンクリート外壁（単体パネル）２の縦方向の長さに応じて継ぎ足され、最終的には積み上げられた単体パネル２の縦方向の長さより長くなるものである。
【００１８】
この固定用定着部材３は、例えば、プレキャスト設置用のネジ節異形鋼棒から成り、コンクリート外壁（単体パネル）２の最下段（詳しくは、後述するプレート３ｂの一段目）に軸着するものである。
尚、固定用定着部材３としては、ネジ節異形鋼棒のみならず、ＰＣ鋼棒、ＰＣ鋼線又はＰＣ鋼より線等の如き、プレストレスの付加に適した、高張力鋼材を使用しても良い。
【００１９】
また、固定用定着部材３の組立、配置を確実にし、基礎ブロック１の剪断強度と圧縮強度を増大させるため、基端側はフープ鉄筋３ｃを巻回して、基礎ブロック１内に埋設支持されている。
【００２０】
コンクリート外壁（単体パネル）２は、プレキャストコンクリート又は鋼板等で構成され、積み上げられる方向に対して内部に、定着用部材３を貫通させる貫通孔２ａを備えている。
本実施の形態に係る例では、単体パネル２の左右２箇所に貫通孔２ａが設けられている。
また、単体パネル２は、水密性と強度に優れたコンクリート等の材質から成り、図３に示すように、外面側（表面側）が被装されているものが考えられる。具体的には、表面側には石横模様等の適宜飾面が形成されており、全体として幾何学模様を呈する型枠にて構成される。
【００２１】
そして、単体パネル２の貫通孔２ａに定着用部材３を貫通させ、プレートとナット（連結ナット）を用いて単体パネル２に対して定着用部材３を緊張して単体パネル２を基礎ブロック１に固定する。この緊張により、単体パネル２は鉛直方向に自立する。
このように、定着用部材３を緊張することで、単体パネル２はプレストレスコンクリートと同様の機能を備えることになる。つまり、定着用部材３がＰＣ鋼材の役割を果たし、その緊張によって単体パネル２に、荷重を受けると内部に生じる引張力を打ち消すような圧縮力が予め与えられているものである。これにより、単体パネル２は、引張力に強く、厚みを薄くできるため、重量の軽減、材料の節約ができて、作業を容易化できると共に低コストで工事を施工できるものである。
【００２２】
同様に、単体パネル２を法面に対して横方向に並設し、定着用部材３で基礎ブロック１に固定する。尚、単体パネル２の側面は、後述する通り、凹凸形状のリブが設けられ、横方向に隣接する単体パネルと可動式に嵌合する。そして、法面と単体パネル２との間の空間には、コンクリート又はエアーモルタル等の軽量盛土材Ｂを打設する。軽量盛土材を用いることで、工期短縮と経済性を向上させることができる。
単体パネル２の高さまでコンクリート等の打設が終了すると、その上に養生網を設置し、コンクリート等の養生を行う。
【００２３】
更に、単体パネル２上に次に単体パネル２を積み重ねる。この場合も、上記と同様に、積み重ねる次の単体パネル２に設けられた貫通孔２ａに継ぎ足した固定用定着部材３を貫通させてプレートとナットで緊張して締め付け、下段の単体パネル２上に上段の単体パネル２を固定する。尚、単体パネル２の上下面には、後述する通り、補強リブが設けられ、縦方向に隣接する単体パネル２同士が噛み合って位置ずれを防止している。
【００２４】
また、各単体パネル２の上下左右の端面（継ぎ目）には、モルタルや接着剤を介して接合したり、更にはシール材を充填することにより、コンクリート外壁２全体の止水性及び水密性を高めることができる。
【００２５】
そして同様に、エアーモルタル等の軽量盛土材Ｂを打設し、養生網４を敷設する。
このようにして、本実施の形態に係る例では８段まで単体パネル２を積み上げて第１段目の擁壁を形成している。
また、自立した各段の単体パネル２には、ＰＣ鋼棒等の固定用定着部材３で緊張締着することによりエアーモルタル打設時の応力に耐えられるだけの緊張力と強度が付加される。更に、全体的安定を保つため図１に示すセン断ロックボルト６ａを打設する方法、若しくは図２に示す永久アンカー６ｂを打設する方法を採用することもできる。
【００２６】
そして、第１段目の擁壁の上段に第２段目の擁壁を同様に形成する。法面の状況に応じて、単体パネル２をいくつ積み上げるかは、設計上の問題で任意に設定できるものである。また、擁壁を何段構成にするかも設計上の問題であって、任意に設定できるものである。尚、図１，２では、単体パネル２を８枚積み上げ、積み上げられた擁壁を３段構成としている。
【００２７】
尚、図２では、予め定着しておいた永久アンカー６ｂを単体パネル２を介して緊張して、法面の岩壁と擁壁とを一体的に固定している。
そして、最終的には、最上段部分に落石防止のストンガード７を設置し、そのストンガード７と地山との間にサンドマット８を敷いて施工工事が終了する。
図１の例では、落石防止に有効であり、図２の例では、地すべりと落石防止に有効である。
【００２８】
次に、本発明の実施の形態に係る擁壁施工方法に用いられる各部を具体的に図３〜図９を用いて説明する。
図３は、本発明の実施の形態に係る擁壁の正面説明図である。図３に示すように、水平地面（底盤）に対して基礎ブロック１が横方向に複数配列され、その上に単体パネル２が縦横方向に積み上げられている状態となっている。
【００２９】
図４は、本発明の実施の形態に係る擁壁の側面断面図である。図４に示すように、水平地面に対して鉛直方向にアンカー部材５で固定された基礎ブロック１に対して法面の傾斜に応じて傾斜角を持たせて単体パネル２が積み上げられている。尚、図４では、積み上げられた単体パネル２を法面に複数の鋼材を用いて固定してる。つまり、鋼材の一端は地面に打ち込まれて固定され、鋼材の他端は鍵状となっていて、当該鍵状部分を単体パネル２の裏面に係止して固定されている。
【００３０】
図５は、本発明の実施の形態に係る基礎ブロック部分の一部を示す説明図である。図５では、基礎ブロック１の継ぎ目部分を示しており、基礎ブロック１の両端外側には固定用定着部材３が取り付けられ、内側にアンカー部材５を貫通させるアンカー貫通孔５ａが設けられている。
【００３１】
図６は、図５の側面断面説明図である。図６に示すように、基礎ブロック１には単体パネル２の重みが斜め方向から加わるため、基礎ブロック１を固定するアンカー部材５の位置は、単体パネル２と法面との間となっている。また、固定用定着部材３が斜め方向に突出した基礎ブロック１の部分は、突出した固定用定着部材３に直交する面で形成されている。このように固定用定着部材３に直交した傾斜面を持つことにより、単体パネル２を斜め方向に固定し易くしている。
【００３２】
更に、具体的に上記各部を図３〜図６を用いて説明する。
図３〜図６に示すように、アンカー部材５は、岩盤Ａ内に削孔されたアンカー孔５ｄにアンカー材５ｃを挿着固定され、上端側を止着せしめるアンカープレートとナットから成るアンカーヘッド５ｂを備えている。
【００３３】
アンカー部材５の施工法を簡単に説明すると、まず、地盤Ａ内にアンカー孔５ｄとグラウト材とをローターリパーカッション等の機械により同時に削孔し、グラウト注入後、アンカー材５ｃを圧入する。尚、グラウトの養生期間を利用し、基礎ブロック１を構築すると良い。
【００３４】
基礎ブロック１には、反力用アンカー部材５を貫通させるアンカー貫通孔５ａが予め設けられ、水平法面に鉛直方向に固定されたアンカー部材５がアンカー貫通孔５ａを貫通している。貫通したアンカー部材５は、基礎ブロック１の上面でプレートとナットを用いたアンカーヘッド５ｂで緊張固定されている。
【００３５】
基礎ブロック１には、鋼材３ｆの下端部にフープ鉄筋３ｃをプレート３ｂと定着ナット３ｅで定着させた固定用定着部材３の端部が埋め込まれ、鋼材３ｆの一部を突出させている。固定用定着部材３の突出した端部は、単体パネル２が積み上げられる方向を考慮して傾斜して突出している。
【００３６】
そして、基礎ブロック１から突出した固定用定着部材３は、プレート３ｂと連結ナット３ａを用いて緊張締結されると共に別の固定用定着部材３と連結している。固定用定着部材３は、同様にプレート３ｂと連結ナット３ａを用いて継ぎ足され、積み上げられる単体パネル２の数に応じて、例えば、６〜８ｍ程度の長さとなるものである。
【００３７】
次に、単体パネル（コンクリート外壁）２について図７〜図９を用いて説明する。図７は、本発明の実施の形態に係る単体パネルの正面図であり、図８は、図７の上面平面図であり、図９は、図７の側面断面図である。尚、図８では、隣接する単体パネルとの接合部分が明確となるよう隣接する単体パネルの一部が描き加えられている。
単体パネル２は、サイズが縦約１ｍ、横約２ｍ程度であり、内部に補強用の鉄筋が埋め込まれている。また、単体パネル２の両端内部に設けられた固定用定着部材３を貫通させる貫通孔２ａは、図７に示すように、下部に連結ナット３ａを収納するスペースを備え、上部にプレート３ｂを収納するスペースを備える構造となっている。
【００３８】
そして、図８に示すように、単体パネル２の右側面は、半円形を外側に形成した凸型リブ２ｃを備え、単体パネル２の左側面は、半円形を内側に形成した凹型リブ２ｄを備えている。これにより、単体パネル２が横方向に配置された場合に、ある単体パネル２の凸型リブ２ｄと隣接する単体パネル２の凹型リブ２ｄとが噛み合って接合する。
【００３９】
尚、凸型リブ２ｃと凹型リブ２ｄは、単体パネル２の表裏面に対して角を取り除いたテーパー状に形成されている。これにより、凸型リブ２ｃと凹型リブ２ｄの接合部分には、接合の自由度が得られることになり、単体パネル２を横一直線となるよう無理に配列する必要がなくなる。つまり、法面の凹凸形状に合わせて、単体パネル２の接合部分を多少折り曲げながら単体パネル２を横方向に配列できる。
また、図８に示すように、凹型リブ２ｄの凹形状に対して、凸型リブ２ｃの凸形状のＲ角を小さくすれば、接合部分に自由度を備えると共に、両パネルの接合部分に余裕が生じるため、両パネルの取り付けが容易になる。
【００４０】
また、図９に示すように、単体パネル２の上面及び底面には、補強リブ２ｂがそれぞれ設けられている。上面においては、パネル正面に対して奥方向に補強リブ２ｂが突出しており、底面においては、パネル正面に対して手前方向に補強リブ２ｂが突出している。そして、単体パネル２上に別の単体パネル２が積み上げられた場合に、下部の単体パネル２の上面の補強リブ２ｂと上部の単体パネル２の底面の補強リブ２ｂとが凹凸形状部分で嵌合して、下部単体パネルと上部単体パネルとがずれることなく位置決めされて固定されるものである。
【００４１】
次に、本発明の実施の形態に係る擁壁施工方法について図１０〜図１５を用いて具体的に説明する。図１０〜図１５は、本発明の実施の形態に係る擁壁施工方法の第１〜第６段階を示した説明図である。
本施工方法の第１段階は、図１０に示すように、法面を整形した後、ロータリーパーカッション１１を用いて水平地面の鉛直方向に自穿孔ボルト（アンカー部材５）１２を設置する。
本施工方法の第２段階は、図１１に示すように、基礎ブロック（台座）１を設置する。尚、台座は、現場打ちを行って製造するか、またはプレキャスト製を用いるものとする。この場合、基礎ブロック１のアンカー貫通孔５ａに地面に設置された自穿孔ボルト（アンカー部材５）１２を貫通させて設置する。その後は、アンカー部材５を緊張して基礎ブロック１を地面に固定する。
また、基礎ブロック（台座）１には、固定用定着部材３の一部が埋め込まれて他端が突出している。
【００４２】
本施工方法の第３段階は、図１２に示すように、基礎ブロック１から突出した固定用定着部材３の一部にＰＣ鋼棒を連結して、単体パネル２を貫通できる程度の長さとする。
本施工方法の第４段階は、図１３に示すように、クレーン車１３を用いて、単体パネル２の貫通孔２ａに固定用定着部材３を貫通させ、固定用定着部材３をトルクレンチ緊張して、単体パネル２を設置する。そして、複数の単体パネル２が、法面に対して横方向に併設される。
【００４３】
本施工方法の第５段階は、図１４に示すように、固定用定着部材３に更にＰＣ鋼棒を連結して、固定用定着部材の長さを長くする。そして、単体パネル２と法面との間に、エアーモルタルを打設する。
そして、本施工方法の第６段階は、図１５に示すように、１段目の単体パネル２上に、図１２〜図１４の施工を行う。具体的には、クレーン車１３を用いて１段目の単体パネル２上に２段目の単体パネル２を設置し、トルクレンチ緊張を行う。この後は、エアーモルタルを打設する。このようにして、単体パネル２が積み上げられる。
【００４４】
本発明の実施の形態に係る擁壁施工方法によれば、従来のすべり法面・落石法面等に使用されて来た法枠付き永久アンカー片持式ロックシェッド、ロックシェッド、擁壁式覆工時に、法面の切土及び既設構造物の撤去を行うことなく、法面の前面に空間を設け、積み上げられたコンクリート外壁（単体パネル）２と打設されるエアーモルタル等によって、小断面のパネルを順次積み上げる小規模の方法にて簡易且つ安全な施工ができると共に、施工コストを低減できる効果がある。
また、単体パネル２の種類に応じて幾何学模様、石積模様、その他各種模様の擁壁式覆工を提供でき、自然環境に応じた対策と美化を図ることができる効果がある。
【００４５】
本発明の実施の形態に係る擁壁施工方法は、現場で常套的に行われていた従来の切土撤去が不要となると共に、積み上げの場合に大きいプレスト力を必要とせず、小さい力にて小断面の積み上げを行うことができ、今までのように大型重機及び、防護柵が不要となるなどの効果を奏する。
また、構成が単純であるため大量の生産に適し、価格も低廉なものとして需要者に供給できるなどの実益的価値が甚大である。
【００４６】
しかも、本発明の実施の形態に係る擁壁施工方法は、切土を一切行わずに積み上げ擁壁式覆工方法が可能となり、工期を短縮すると共に、軽量化に伴う施工時の安全も図れるものである。
【００４７】
このように構成される本発明の地すべり・落石法面対策用永久型枠材は、プレキャスト化された単体パネルを用いることで、今までにない斜め施工の盛土化擁壁が容易となり、法面等を切土することなく、また大きいプレストレスを必要とせず、小さい力にて小断面プレキャスト材を斜め又は直に連続的に積み上げ、法面全体の安定を図ることができ、すべり防止又は落石防止を実現し、今までよりさらに安全性を備えると共に景観に富む擁壁を形成することができるものである。
【００４８】
尚、本発明の擁壁施工方法は、上記実施の形態に限定されることなく本発明の目的の範囲内で自由に設計変更し得るものであり、本発明は、それらのすべてを包含するものである。
【産業上の利用可能性】
【００４９】
本発明は、地すべりと落石防止に有効であり、作業工程を容易にし、安全且つ低コストに地山安定化を実現できる擁壁施工方法に好適である。
【図面の簡単な説明】
【００５０】
【図１】本発明の実施の形態に係る落石法面に対して施工された擁壁の概略断面を示す断面説明図である。
【図２】本発明の実施の形態に係る地滑り・落石法面に対して施工された擁壁の概略断面を示す断面説明図である。
【図３】本発明の実施の形態に係る擁壁の正面説明図である。
【図４】本発明の実施の形態に係る擁壁の側面断面図である。
【図５】本発明の実施の形態に係る基礎ブロック部分の一部を示す説明図である。
【図６】図５の側面断面説明図である。
【図７】本発明の実施の形態に係る単体パネルの正面図である。
【図８】図７の上面平面図である。
【図９】図７の側面断面図である。
【図１０】本発明の実施の形態に係る擁壁施工方法の第１段階を示した説明図である。
【図１１】本発明の実施の形態に係る擁壁施工方法の第２段階を示した説明図である。
【図１２】本発明の実施の形態に係る擁壁施工方法の第３段階を示した説明図である。
【図１３】本発明の実施の形態に係る擁壁施工方法の第４段階を示した説明図である。
【図１４】本発明の実施の形態に係る擁壁施工方法の第５段階を示した説明図である。
【図１５】本発明の実施の形態に係る擁壁施工方法の第６段階を示した説明図である。
【符号の説明】
【００５１】
１…基礎ブロック、  ２…コンクリート外壁（単体パネル）、  ２ａ…貫通孔、  ２ｂ…補強リブ、  ２ｃ…凸型リブ、  ２ｄ…凹型リブ、  ３…固定用定着部材、  ３ａ…連結ナット、  ３ｂ…プレート、  ３ｃ…フープ鉄筋、  ３ｄ…プレート、  ３ｅ…定着ナット、  ４…養生網、  ５…アンカー部材、  ５ａ…アンカー貫通孔、  ５ｂ…アンカーヘッド、  ５ｃ…アンカー材、  ５ｄ…アンカー孔、  ６ａ…ロックボルト、  ６ｂ…永久アンカー、  ７…ストンガード、  ８…サンドマット
【図１】
2005256602.tif 000003
【図２】
2005256602.tif 000004
【図３】
2005256602.tif 000005
【図４】
2005256602.tif 000006
【図５】
2005256602.tif 000007
【図６】
2005256602.tif 000008
【図７】
2005256602.tif 000009
【図８】
2005256602.tif 000010
【図９】
2005256602.tif 000011
【図１０】
2005256602.tif 000012
【図１１】
2005256602.tif 000013
【図１２】
2005256602.tif 000014
【図１３】
2005256602.tif 000015
【図１４】
2005256602.tif 000016
【図１５】
2005256602.tif 000017